(57)【要約】【課題】キーシートの取替えを取り付けカバーにより簡単に行えるようにし、同機種のものでも外観に変化をもたらし飽きがこないようにし、個性的な移動通信端末に変更可能な移動機端末を提供する。【解決手段】移動通信端末の筺体の前面にキースイッチ７を配置するとともに、該キースイッチ７を覆うキーシート１０を筺体とは独立した取り付けカバー４により、工具等を使用することなく取り付け可能に構成することにより、キーシート４の取り替えに筺体自体の分解作業を必要とせず、簡単に取り替えを可能にする。【選択図】        図１
2004336582.tif 000002
【特許請求の範囲】
【請求項１】
筺体の前面に複数のキースイッチと筺体側係合用凹凸部を有する移動通信端末本体と、前記各キースイッチに対応する位置に突出する押圧用のボタン部を有するラバーシートと、前記ラバーシートを前記複数のキースイッチを覆うように筺体の前面に取り付ける、前記ボタン部を挿通する挿通孔及び前記筺体の前面の筺体側係合用凹凸部に係合するカバー側係合用凹凸部を有する取り付けカバーと、から構成され、前記ラバーシートの差し替えを可能としたことを特徴とする移動通信端末。
【請求項２】
前記複数のキースイッチは、筺体の前面に一体形成された基台の上に配置されていることを特徴とする請求項１記載の移動通信端末。
【請求項３】
前記複数のキースイッチは、筺体の前面に設けられた開口から露出する筺体内に実装された回路基板の上に配置されていることを特徴とする請求項１記載の移動通信端末。
【請求項４】
前記筺体は、ヒンジ部により回動可能に構成された第１及び第２の筺体の折り畳み構造でなり、前記第１及び第２の筺体はそれぞれ前面側の半筺体と背面側の半筺体とで構成されていること特徴とする請求項１、２又は３記載の移動通信端末。
【請求項５】
前記取り付けカバーは、略矩形の前面部と、前記前面部の少なくとも筺体の側部に対応する２辺から略直角方向に延在するスカート部と、前記スカート部の端部に設けたカバー側係合用凹凸部と、を備え、筺体の端部方向からスライドして前記筺体の筺体側係合用凹凸部に係合し、ヒンジ部側で逆止機能を有するラッチ結合することを特徴とする請求項３又は４記載の移動通信端末。
【請求項６】
前記キースイッチは電極対で構成され、前記ラバーシートのボタン部の裏面はそれぞれ独立して導電性を有することを特徴とする請求項１ないし５の何れかの請求項記載の移動通信端末。
【発明の詳細な説明】
【０００１】
【発明が属する技術分野】
本発明は携帯電話機やＰＨＳ等の移動通信端末に関し、特に、簡易な操作により外観に変化をもたらすことが可能な移動通信端末に関する。
【０００２】
【従来の技術】
従来、同機種の携帯電話機であっても所有者を間違えることがないようにし、また飽きがこないようにするために、装飾シートを差し替え可能とする表面装飾装置が特許文献１に記載されている。
【０００３】
【特許文献１】
実用新案登録第３０５４４１４号
【０００４】
この携帯電話機は、背面側のケース内に操作ボタンを有する移動通信機本体と、ラバーシートと、前面側の本体カバーと、本体カバーの前面に配置する装飾シートと、その押さえ用カバーとからなり、ネジ頭の形状が市販されているプラスやマイナスのものではない特殊な形状の取付ボルトにより組み立てられており、ラバーシートの表面には前記各操作ボタンに対応させて複数のボタン押圧部が突設され、各ボタン押圧部の表面には文字、数字、記号等が表示されている。このラバーシートは、ばら売り或はセット売りで様々な図案や色彩のものが用意され得る旨（段落０００９、００１０参照）記載され、また、装飾シートは図案や色彩等の意匠の異なるものを複数枚用意して差し替えることができる旨（段落００１２参照）記載されている。
【０００５】
【発明が解決しようとする課題】
前記特許文献１記載の携帯電話機は装飾シートを差し替え可能とするものであり、また、ラバーシートについては様々な図案や色彩のものが用意され得るとしているが、仮にラバーシートを取り替えるとしても特殊ドライバーを使用して携帯電話機の筺体を構成する本体カバー自体を取り外し、かつ組み立てるという複雑で困難な作業を必要とするものである。
【０００６】
以上のように従来の携帯電話機の入力用のキーボード及びキーシートは筺体中に収納される構成を備えるものであり、キーシートの取り替えには特殊ドライバーによる筺体自体の分解作業を必要とすることからその取替えは極めて困難なものであった。
（目的）
本発明の目的は、これまで取替えが困難であったキーシートの取替えを取り付けカバーにより簡単に行えるようにし、同機種のものでも外観に変化をもたらし飽きがこないようにし、個性的な移動通信端末に変更可能な移動機端末を提供することにある。
【０００７】
【課題を解決するための手段】
本発明の移動通信端末は、筺体の前面に複数のキースイッチと筺体側係合用凹凸部を有する移動通信端末本体と、前記各キースイッチに対応する位置に突出する押圧用のボタン部を有するラバーシートと、前記ラバーシートを前記複数のキースイッチを覆うように筺体の前面に取り付ける、前記ボタン部を挿通する挿通孔及び前記筺体の前面の筺体側係合用凹凸部（フック）に係合するカバー側係合用凹凸部（フック）を有する取り付けカバーと、から構成され、前記ラバーシートの差し替えを可能としたことを特徴とする。前記複数のキースイッチは、筺体の前面に一体形成された基台の上に配置されていること、又は筺体の前面に設けられた開口から露出する筺体内に実装された回路基板の上に配置されていることを特徴とする。
【０００８】
また前記筺体は、ヒンジ部により回動可能に構成された第１及び第２の筺体の折り畳み構造でなり、前記第１及び第２の筺体はそれぞれ前面側の半筺体と背面側の半筺体とで構成されていること、前記取り付けカバーは、略矩形の前面部と、前記前面部の少なくとも筺体の側部に対応する２辺から略直角方向に延在するスカート部と、前記スカート部の端部に設けたカバー側係合用凹凸部と、を備え、筺体の端部方向からスライドして前記筺体の筺体側係合用凹凸部に係合し、ヒンジ部側で逆止機能を有するラッチ結合すること、前記キースイッチは電極対で構成され、前記ラバーシートのボタン部の裏面はそれぞれ独立して導電性を有することを特徴とする。
【０００９】
（作用）
移動通信端末の筺体の前面にキースイッチを配置するとともに、該キースイッチを覆うキーシートを筺体とは独立した取り付けカバーにより、工具等を使用することなく取り付け可能に構成することにより、キーシートの取り替えに筺体自体の分解作業を必要とせず、簡単に取り替えを可能にする。
【００１０】
【発明の実施の形態】
次に、本発明の移動通信端末の実施の形態について詳細に説明する。
図１は本発明の移動通信端末の一実施の形態の外観を示す図である。本実施の形態は、キーボードが配置される側の第１の筺体と、液晶表示画面が配置される第２の筺体（図示していない）とがヒンジ軸３を有するヒンジ部により、ヒンジ軸３の回りに回動可能に結合された折り畳み式の携帯電話機を例としたものである。
【００１１】
携帯電話機の第１及び第２の筺体を折り畳んだ状態で外側に位置する例えばリア側のカバーであるリアカバー等の背面側の半筺体（以下、リアカバーという。）２と、筺体を折り畳んだ状態で内側に位置する例えばフロント側のケースであるフロントケース等の前面側の半筺体（以下、フロントケースという。）１と、で構成され、フロントケース１にはキーを覆うキーシートと、前記キーシートを取り付ける取り付けカバー４とを具備している。
【００１２】
図２は取り付けカバーを取り外した状態のキーボードが配置される第１の筺体の構成を示す図である。本実施の形態では図２（ａ）に示すように、一体成形等により形成したフロントケース１の前面の基台６を有し、入力用のキースイッチ７が該基台６に配置された構造を備え、その周囲にはヒンジ軸３側を除いて基台６の表面とフロントケース１とにより段差が形成され、段差のあるフロントケース１には長手方向に１〜複数のフック等の筺体側係合用凹凸部８を備える。
【００１３】
また、第１の筺体のヒンジ軸３側の構成は図２（ｂ）に示すように、基台６のヒンジ部側に基台６との段差が形成されており、基台６の上部にフロントケース１内部側へのスリット状の貫通口９が形成され、この貫通口９には取り付けカバー４の係合爪が挿入可能である。
【００１４】
図３はキーシートの構成を示す図である。キーシート１０は、フロントケース１側の基台６上のテンキー及び各種の機能キー等の複数のキースイッチ７を覆うゴム状のシートであり、キースイッチ７の各々に対応する位置に押圧用にボタン部１２が突設しているとともに、四隅には取り付けカバー４の裏面に形成された取り付け突起部が所定摩擦をもって貫通する寸法形状の取り付け用挿通孔１１を備える。
【００１５】
図４、図５は、筺体にキーシートを取り付ける取り付けカバーの構成を示す図であり、図４は表面側、図５は裏面側である。取り付けカバー４は、前面が略矩形であり、長手方向に直角な方向の断面が略コの字状の外装板でなり、図４に示すようにキーシート１０のボタン部１２に対応する位置に該ボタン部１２を挿通する挿通孔１４を備える。また、取り付けカバー４の長手方向に沿った両端には略矩形の前面から略直角に延在するスカート部１５を備え、スカート部１５の端部には前記フロントケース１の長手方向に１〜複数の筺体側係合用凹凸部８と係合する１〜複数のフック等のカバー側係合用凹凸部１６を備えるとともに、フロントケース１の長手方向のヒンジ軸３側の端部に対応する位置には先端に取り付けカバー４の表面側に傾斜面を有する鉤部が形成された係合爪１３を備え、更に取り付けカバー４の内側にはキーシートの挿通孔１１に対応する位置にシート取り付け突起部１７を備える。
【００１６】
キーシート１０は取り付けカバー４により各ボタン部１２の裏面が各キースイッチ７に重なるように取り付けられることにより、キーシート１０のボタン部１２を押圧することによりキースイッチ７が押圧され、携帯電話機のキー入力機能を実現する。
（動作の説明）
次に、本実施の形態の取り付けカバーによるキーシートの筺体への取り付け動作について、図２〜図５を参照して以下詳細に説明する。本実施の形態の携帯電話機のキーシート１０の取り付けは、取り付けカバー４に対するキーシート１０の取り付け及びキーシート１０を装着した取り付けカバー４のフロントケース１への取り付けからなる。
【００１７】
まず、取り付けカバー４に対するキーシート１０の取り付けは、図４に示すように取り付けカバー４の裏面を上側に向けた後、図３に示すキーシート１０を裏返した状態で、キーシート１０の四隅の取り付け用挿通孔１１に、図５に示す四隅のキーシート取り付け突起部１７を貫通させることによりキーシート１０を位置決めするとともに、キーシート１０の各ボタン部１２が取り付けカバー４の挿通孔１４に嵌合するように取り付けカバー４に実装し、取り付けカバー４の突起部１７とキーシート１０の取り付け用挿通孔１１との貫通状態で両者の所定の摩擦によりキーシート１０が保持される。
【００１８】
次に、キーシート１０を実装した取り付けカバー４の筺体への取り付けは、取り付けカバー４を図４に示す方向に裏返し、係合爪１３側をフロントケース１のヒンジ軸３側に向け、ヒンジ軸３の反対側方向にややずらしてフロントケース１に搭載した後、ヒンジ軸３と反対の方向からヒンジ軸３方向に滑らせるように移動（スライド）させ、取り付けカバー４のフックとフロントケースのフックを両フックの開口側が噛み合うように係合させて固定させるとともに、取り付けカバーの係合爪１３を図２（ｂ）に示すフロントケースのヒンジ軸３側の貫通口９に差し込む。係合爪１３の貫通口への挿入時には爪部の傾斜面が貫通口の上部と摺動して係合爪が下方に撓みながら爪部が侵入し先端が貫通口９の筺体裏面を通過したところで爪部の先端が筺体壁の裏面の上部側に噛み合うことによるラッチ機構により取り付けカバー４が固定される。以上の手順により携帯電話機本体にキーシート及び取り付けカバーが取り付けられる。
【００１９】
更に、図１に示す携帯電話機のキーシート１０及び取り付けカバー４の交換時には、取り付けカバー４の係合爪の近傍を前面側から押圧して係合爪１３をフロントケース１の貫通口９の逆止機構を解除し、取り付けカバー４をヒンジ軸３と逆方向にスライドさせることにより、取り付けカバー４のフックとフロントケース１のフックとの係合状態を解放することにより、キーシート１０及び取り付けカバー４をフロントケース１から取り外す。そして、異なる色彩、形状、模様が施されたキーシート１０及び／又は取り付けカバー４に取り替えて前述の要領でキーシート１０及び取り付けカバー４を交換する。
【００２０】
ここで交換用のキーシート１０としては、デザインや質感の異なった種類のものを用意しておくことにより取り替えのバリエーションを増やすことを可能とする。同様に取り付けカバー４についても各種のデザイン、材質、形状、質感の異なったものを複数用意することにより取り替えのバリエーションを増やすことが可能である。
【００２１】
（他の実施の形態）
以上の実施の形態では、フロントケース１のキースイッチを有する基台６上にキーシート１０を装着した取り付けカバー４をスライドして取り付ける例を示したが、フロントケース１の構成、取り付けカバー４の構成、取り付け方法等の違いにより各種の実施の形態が構成できる。
【００２２】
図６は第２の実施の形態の例を示す図である。本実施の形態ではヒンジ軸２３はフロントケース２１側に設けられるとともに該フロントケース２１には複数のキースイッチ２２の全体サイズ大の開口２４を有する。また、フロントケース２１には、一面に電気的スイッチを構成する電極対でなるキースイッチ２２が配置された電子回路基板２５が電極対側が前記開口２４から露出するように実装される。
【００２３】
図７は第２の実施の形態のキーシートの形状、構造を示す図である。本実施の形態のキー入力のスイッチは、キーシート２９のボタン部２７の押圧時に各ボタン部２７の裏面のそれぞれが互いに電気的に絶縁された個別の導電性材料２８が電極対でなるキースイッチ２２に圧接し電極対間の電気抵抗を減少させることをキー入力に利用する例である。キーシート２９の全体形状及びサイズがフロントケース２１の開口２４と同一であり、ボタン部２７の裏面の部分にはそれぞれが絶縁されたシード状の導電性材料２８が張り合わせた構造を備える。
【００２４】
図８は第２の実施の形態の取り付けカバーの形状、構造を示す図である。取り付けカバー３０には、キーシート２９のボタン部２７に対応する挿通孔３１を備え、裏面にはフロントケース２１の前面の筺体側係止凹凸部を構成する係合孔２６に挿入し係合するカバー側係合用凹凸部３３と、ヒンジ軸２３側のフック部３２を備える。
【００２５】
本実施の形態におけるキーシートの取り付け又は交換においては、図６に示すフロントケース２１の開口２４に、図７に示すキーシート２９を各ボタン部の裏面の導電性材料２８が電子回路基板の電極対でなるキースイッチ２２に対向するようにはめ込み、その上部に図８に示す取り付けカバー３０を取り付けることで実現する。ここで取り付けカバー３０の固定はフロントケース２１のヒンジ部３１側の段差部に適宜の逆止機能を有しラッチ結合するラッチ機構を設けることで可能である。
【００２６】
前記第２の実施の形態は更なる変更が可能である。例えば、第１の実施の形態において、電極対を有する回路基板を使用し、基板の一部を基台上面から露出させた構造とし、各ボタン部の裏面に導電性材料を備えるキーシートを使用して取り付けカバーにより図１に示すように取り付けた携帯電話機の構造である。
【００２７】
更に、携帯電話機の筺体構造として、回路基板を実装するケースをフロント側からリア側に変更して、フロントカバーとリアケースとからなる構造とし、ヒンジ部のヒンジ軸をリアケース側に設け、フロントカバーには複数のキースイッチの全体寸法の開口を設け、回路基板の電極対等のスイッチ構造をフロント側に面するようにリアケースに実装した後、キーシートを電極対等を有する回路基板上に取り付けカバーにより取り付けるように構成することも可能である。
【００２８】
以上の実施の形態において、取り付けカバーの取り付け手段である筺体側係合凹凸部とカバー側係合凹凸部とは、互いにボルト等を使用することなく、係合するフック状又は溝と爪等の係合構造を利用可能であることは明らかである。
【００２９】
【発明の効果】
本発明によれば、筺体の前面にキースイッチを配置するとともに、該キースイッチを覆うキーシートを筺体とは独立した取り付けカバーによりフック等の係合手段により取り付ける構成とすることにより、キーシートの取り替えに筺体の分解を必要とせず、使用者がキーシートを簡単に取り替えることが可能であり、各種のキーシートを用意し、適宜、取り替えることにより外見上の飽きを防止し、同機種同系色の移動通信端末であっても全く違った個性を出すことができ、異なる感覚の移動通信端末として利用することを可能とする。
【図面の簡単な説明】
【図１】本発明の移動通信端末の一実施の形態の外観を示す図である。
【図２】取り付けカバーを取り外した状態のキーボードが配置される筺体の構成を示す図である。
【図３】キーシートの構成を示す図である。
【図４】取り付けカバーの表面側の構成を示す図である。
【図５】取り付けカバーの裏面側の構成を示す図である。
【図６】第２の実施の形態の構成を示す図である。
【図７】第２の実施の形態のキーシートの形状、構造を示す図である。
【図８】第２の実施の形態の取り付けカバーの形状、構造を示す図である。
【符号の説明】
１  前面側の半筺体
２  背面側の半筺体
３  ヒンジ軸
４、３０  取り付けカバー
６  基台
７、２２  キースイッチ
８、２６  筺体側係止凹凸部
９  貫通口
１０、２９  キーシート
１１  取り付け用挿通孔
１３、３２  逆止機能付きのフック部又はラッチ機構
１４、３１  ボタン部の挿通孔
１５  スカート部
１６、３３  カバー側係合用凹凸部
１７  キーシート取り付け突起部
２５  回路基板
【図１】
2004336582.tif 000003
【図２】
2004336582.tif 000004
【図３】
2004336582.tif 000005
【図４】
2004336582.tif 000006
【図５】
2004336582.tif 000007
【図６】
2004336582.tif 000008
【図７】
2004336582.tif 000009
【図８】
2004336582.tif 000010